(57)【要約】【課題】  建物とは独立した場所に設置して日陰を作ることができる日除け装置を提供する。【解決手段】  建物とは独立して設置される一対の支柱２ａ，２ａと梁２ｂからなる門形フレーム２を備え、前記梁２ｂは少なくとも前部に開口部３を有するケース４からなり、該ケース４内に幕９を巻き取る巻取軸１０を設け、前記幕９の先端に不使用時に前記開口部３に位置される前枠１５を設け、ケース４内の巻取軸１０の上方には前記前枠１５を前記開口部３から斜め上方へ移動させることにより前記膜９を伸張状態に保持するための保持手段１８を設けている。【選択図】          図１
2006225970.tif 000002
【特許請求の範囲】
【請求項１】
建物とは独立して設置される一対の支柱と梁からなる門形フレームを備え、前記梁は少なくとも前部に開口部を有するケースからなり、該ケース内に幕を巻き取る巻取軸を設け、前記幕の先端に不使用時に前記開口部に位置される前枠を設け、ケース内の巻取軸の上方には前記前枠を前記開口部から斜め上方へ移動させることにより前記膜を伸張状態に保持するための保持手段を設けたことを特徴とする日除け装置。
【発明の詳細な説明】
【技術分野】
【０００１】
本発明は、日除け装置に係り、特に建物とは独立した場所に設置して日陰を作ることができるようにした日除け装置に関する。
【背景技術】
【０００２】
従来、日除け装置としては、建物の躯体に取付けて使用するもの（オーニングともいう）が知られている（例えば実開昭５５−６９５３８号公報「天幕内蔵軒先化粧カバー」参照）。実開昭５５−６９５３８号公報に記載された天幕内蔵軒先化粧カバーの場合、天幕繰出細隙を有する軒先化粧カバーと、この軒先化粧カバーに収納された天幕巻取棒と、上端を天幕巻取棒に固定し下端を天幕繰出細隙より垂下する天幕と、この天幕の下端に設けられた係合手段と、この係合手段を係合して繰出された天幕を伸張状態に保持する被係合手段とを備えて構成されている。前記天幕巻取棒は、ばねにより巻取方向に回転付勢され、前記係合手段は天幕の下端縁に沿って設けられた先導棒であり、前記被係合手段はこの先導棒の端部を前記ばねに抗して係合するフックである。この天幕内蔵軒先化粧カバーによれば、サンデッキやテラス、建物内に対する日除けをすることができる。
【０００３】
【特許文献１】実開昭５５−６９５３８号公報
【発明の開示】
【発明が解決しようとする課題】
【０００４】
しかしながら、前述したような従来の日除け装置においては、建物に取付ける構造であるため、建物に穴を開けるなど、建物への負荷が大きいだけでなく、建物のない場所では使用することが困難であった。
【０００５】
本発明は、上記事情を考慮してなされたものであり、建物とは独立した場所に設置して日陰を作ることができる日除け装置を提供することを目的とする。
【課題を解決するための手段】
【０００６】
本発明は、建物とは独立して設置される一対の支柱と梁からなる門形フレームを備え、前記梁は少なくとも前部に開口部を有するケースからなり、該ケース内に幕を巻き取る巻取軸を設け、前記幕の先端に不使用時に前記開口部に位置される前枠を設け、ケース内の巻取軸の上方には前記前枠を前記開口部から斜め上方へ移動させることにより前記幕を伸張状態に保持するための保持手段を設けたことを特徴とする。
【発明の効果】
【０００７】
本発明によれば、建物とは独立して設置される一対の支柱と梁からなる門形フレームを備え、前記梁は少なくとも前部に開口部を有するケースからなり、該ケース内に幕を巻き取る巻取軸を設け、前記幕の先端に不使用時に前記開口部に位置される前枠を設け、ケース内の巻取軸の上方には前記前枠を前記開口部から斜め上方へ移動させることにより前記幕を伸張状態に保持するための保持手段を設けているため、建物とは独立した場所に設置して日陰を作ることができる。
【発明を実施するための最良の形態】
【０００８】
以下に、本発明を実施するための最良の形態について、添付図面を基に詳述する。図１は本発明の実施の形態である日除け装置の使用状態を概略的に示す斜視図、図２は門形フレームの梁部分を垂直に切断してケース内の構造を概略的に示す断面図、図３は門形フレームの梁部分を水平に切断してケース内の巻取軸の取付構造を概略的に示す断面図、図４は門形フレームの梁部分を水平に切断してケース内の腕部の取付構造を概略的に示す断面図、図５は腕部の取付構造を概略的に示す斜視図である。
【０００９】
これらの図において、１は日除け装置で、この日除け装置１は建物３１とは独立して設置される一対の支柱２ａ，２ａと梁２ｂからなる門形フレーム２を備えている。支柱２ａ及び梁２ｂは、例えばアルミニウムの押出形材からなっている。支柱２ａの断面形状は、図示例では方形であるが、多角形や円形、楕円形等であっても良い。支柱２ａは、建物３１とは独立した場所、例えば庭に立設される。
【００１０】
両支柱２ａ，２ａの上端部の対向面間に掛け渡される梁２ｂは、少なくとも前部に開口部（前部開口部ともいう）３を有するケース４からなっている。ケース４は両端が開放された箱状に形成されている。図示例のケース４は、下部にも開口部（下部開口部ともいう）５を有しており、前部の開口部３からケース４内に入り込んだ雨水やゴミを容易に排出できるようになっている。ケース４は、周方向に複数に分割されていることが好ましい。図示例の場合、ケース４は、上面部及び後面部上半分を形成する第１ケース材４ａと、後面部下半分を形成する第２ケース材４ｂと、前面部下半分を形成する第３ケース材４ｃとからなっている。これら第１〜第３ケース材４ａ〜４ｃは、各長手方向両端部を両支柱２ａ，２ａの対向面（内側面）に突設された取付片６、７に固着具例えばネジ８で固定することにより両支柱２ａ，２ａの対向面間に掛け渡して設けられている（横架されている）。これにより、施工性及びメンテナンス性の向上が図られている。
【００１１】
前記ケース４内には幕８を巻き取る巻取部である巻取軸１０が設けられ、いわゆるロールスクリーンが構成されている。巻取軸１０は例えばパイプからなり、一端には回転力を伝達するための角軸１１ａが突設され、他端には丸軸１１ｂが突設されている。一方の支柱２ａの対向面（内側面）には角軸１１ａを嵌合させて正逆方向の回転を与える駆動部である例えば手動式のギヤ機構（ウォームギヤ）１２が取付けられ、他方の支柱２ａの対向面（内側面）には丸軸１１ｂを回転可能に支持する軸受１３が取付けられている。手動式のギヤ機構１２は、図示しないハンドルを連結して回転力を入力するための下方に延出した入力軸１２ａを有し、この入力軸１２ａはハンドルの操作性を考慮して図２に示すように前方に傾斜していることが好ましい。
【００１２】
一方、前記丸軸１１ｂにはベアリング１４が取付けられていることが好ましい。軸受１３は、丸軸１１ｂをベアリング１４を介して半径方向から着脱可能に支持する略Ｕ字状の軸受本体１３ａと、該軸受本体１３ａから半径方向に丸軸１１ｂが離脱しないように軸受本体１３ａにネジ１３ｂで着脱可能に取付けられる蓋１３ｃとからなり、蓋１３ｃを外して丸軸１１ｂを軸受本体１３ａから離脱させることにより巻取軸１０の脱着が可能になっており、施工性及びメンテナンス性の向上が図られている。従って、幕９の交換も容易にできる。
【００１３】
幕９は、耐候性を有する生地、例えばテント生地、キャンバス生地等からなっている。通気性の良い編目を有するものであっても良い。幕９は巻取軸１０から繰り出されてケース４の前部開口部３を通って外側へ引き出される。巻取軸１０から繰り出された幕９の先端には不使用時に前記ケース４の前部開口部３に位置される前枠１５が設けられている。前枠１５は、例えばアルミニウムの押出形材からなり、ケース４の前部開口部３を外側から覆うようにカバー状に形成されている。前枠１５に幕９の先端を固定するために、例えば幕９の先端縁部には軸１６が取付けられ、前枠１５の背面部には軸１６を装着する断面略Ｃ字状の装着溝１７が設けられている。前枠１５の長手方向両端部には例えば合成樹脂製のキャップが取付けられている（図示省略）。
【００１４】
また、前記ケース４内には前記前枠１５を前記前部開口部３から斜め上方へ移動させることにより前記幕９を伸張状態に保持するための保持手段として例えば腕部（アーム）１８が設けられている。この場合、腕部１８は伸張したときに幕９の上に隠れるように巻取軸１０の上方に配置されている。また、幕９が巻取軸１０の上面から繰り出されているため、幕９の上面に落ちた枯葉などのゴミを巻取時に巻取軸１０部分の曲面部で下方へ容易に落下させることができ、幕９の上面にゴミが溜まったり、ゴミを巻取時に巻き込んだりするようなことはない。前枠１５を安定して支持するために前記腕部１８は左右一対で設けられていることが好ましい。腕部１８は基部側の第１腕部１８ａと先端側の第２腕部１８ｂとを関節部であるヒンジ１８ｃで連結して屈伸可能に構成されていると共に、内部に組み込まれた図示しないばねにより伸張するように付勢されている。
【００１５】
腕部１８の基端部は、支柱２ａの対向面（内側面）に直接又は取付板１９を介して間接的に取付けられたブラケット（アーム根元部品）２０に支軸２１を介して回動可能に取付けられている。腕部１８がケース４内にその長手方向に沿って収まる状態に屈曲した状態からケース４の前部開口部３を通って斜め上方に向って伸張させるために、ブラケット２０は所定の角度例えば２５度程度で傾斜して取付けられている。この場合、ブラケット２０の角度調整による前枠１５の振れ量を小さく抑えてケース４のコンパクト化を図るために、ブラケット２０は前側の取付ボルト２２を支点に角度調整可能とされていることが好ましい。また、ブラケット２０の角度調整をアナログ式（連続的）ではなくデジタル式（間欠的）にして左右均等な角度調整を容易にできるようにするために、支柱２ａの対向面（内側面）又は取付板１９には取付ボルト２３を螺合する螺合孔２４が所定のピッチで設けられていると共に、ブラケット２０の後側にはブラケット２０を角度調整することにより何れかの螺合孔２４と対応するボルト孔２５が所定ピッチで設けられている。
【００１６】
腕部１８の先端部には、取付片２６が軸２７を介して回動可能に取付けられ、この取付片２６はネジ２８により前枠１５の背面部に直接又は裏板２９を介して間接的に取付けられている。なお、裏板２９は前枠１５の背面部に長手方向に沿って形成された断面略Ｃ字状の溝３０にスライド可能に装着されており、ネジ２８による裏板２９と取付片２６の締め付けによって前枠１５の背面部に固定されている。なお、図２ないし図４において、３２，３３は支柱２ａやケース４の表面に設けられた飾りである。
【００１７】
以上のように構成された日除け装置１は、例えば図１に示すように建物３１から離れた庭などの敷地に設置される。図示例の日除け装置１の場合、幕９が建物３１に向って斜め上方に延出した状態に張設されるように設置されている。不使用時には、幕９はケース４内の巻取軸１０に巻き取られて収納されており、この幕９の引込み力により腕部１８もバネの付勢力に抗してケース４内に屈曲状態に折り畳まれて収納されている。この時、ケース４の前部開口部３が前枠１５により覆われた状態にあり、日除け装置１はシンプルな門形フレーム２となっている。なお、門形フレーム２には面格子等を取付けても良く、これにより建物内の目隠し効果が得られると共に意匠性の向上が図れる。
【００１８】
日除け装置１を使用する場合には、巻取軸１０のギヤ機構１２の入力軸１２ａにハンドルを連結して巻取軸１０から幕９を繰り出す方向へ回転操作する。すると、幕９が繰出されるに従って、腕部１８がばねの付勢力によりケース４の前部開口部３から斜め上方に向って徐々に伸張して行き、腕部１８の先端の前枠１５に先導されて幕９が門形フレーム２の梁２ｂであるケース４から建物３１に向って斜め上方に伸張された状態に張設される。このように幕９を高い位置から斜め上方に伸張させることにより有効日陰面積を大きくとることが可能となる。また、幕を斜め下方に伸張させるものと異なり、幕で視界が遮られたり、通行の邪魔になるようなことはない。
【００１９】
このように本実施の形態の日除け装置１によれば、建物とは独立して設置される一対の支柱２ａ，２ａと梁２ｂからなる門形フレーム２を備えているため、建物への穴あけを必要とせず、建物に負荷をかけずに、建物とは独立した場所に設置して日陰を作ることができる。また、前記梁２ｂは少なくとも前部に開口部３を有するケース４からなり、該ケース４内に幕９を巻き取る巻取軸１０を設けているため、梁の外側に巻取軸のケースを取付ける場合と異なりコンパクトでシンプルになり、意匠性の向上が図れる。
【００２０】
前記幕９の先端に不使用時にケース４の前部開口部３に位置されてこの前部開口部３を覆う前枠１５を設けているため、雨水等が前部開口部３からケース４内に入って幕９が汚れるのを防止することができる。また、ケース４内の巻取軸１０の上方に、前記前枠１５を前部開口部３から斜め上方へ移動させることにより前記幕９を伸張状態に保持するための腕部１８を設けている、すなわち巻取軸１０の上方に腕部１８を配置しているため、前部開口部３を大きくすることなく幕９を斜め上方へ容易に伸張させることができ、前部開口部３及び前枠１５を小さくすることができると共に、幕９を伸張させたときに腕部１８が幕９の裏側に隠れて下方から見えないため、意匠性の向上が図れる。また、ケース４の下部には開口部５が設けられているため、幕９の伸張状態の時に前部開口部３からケース４内に入り込んだゴミや雨水を容易に排出することができる。
【００２１】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、巻取軸の駆動部は、手動式に限定されるものではなく、電動式であっても良い。ケースの下部には開口部を設ける代わりに雨樋を設けても良い。前記実施の形態では、日除け装置が幕を建物に向って張設するように設置された例が示されているが、本発明は、これに限定されるものではなく、屋外の所望の場所例えば駐車場や砂場、或いはプールサイドなどに設置しても良い。また、本発明の日除け装置は雨除けとしても使用することが可能である。幕を伸張状態に保持するための保持手段も、前記実施の形態ないし実施例に限定されるものではない。
【図面の簡単な説明】
【００２２】
【図１】本発明の実施の形態である日除け装置の使用状態を概略的に示す斜視図である。
【図２】門形フレームの梁部分を垂直に切断してケース内の構造を概略的に示す断面図である。
【図３】門形フレームの梁部分を水平に切断してケース内の巻取軸の取付構造を概略的に示す断面図である。
【図４】門形フレームの梁部分を水平に切断してケース内の腕部の取付構造を概略的に示す断面図である。
【図５】腕部の取付構造を概略的に示す斜視図である。
【符号の説明】
【００２３】
１  日除け装置
２  門形フレーム
２ａ  支柱
２ｂ  梁
３  前部開口部
４  ケース
９  幕
１０  巻取軸
１５  前枠
１８  腕部（保持手段）
【図１】
2006225970.tif 000003
【図２】
2006225970.tif 000004
【図３】
2006225970.tif 000005
【図４】
2006225970.tif 000006
【図５】
2006225970.tif 000007